(57)【要約】【目的】  納豆を簡易迅速かつ良好に攪拌できるとともに、使用後の洗浄が容易な電動納豆攪拌機を提供する。【構成】  電動機を備えた駆動部２と上記電動機によって回転駆動する攪拌部３とを有し、該攪拌部３には、攪拌部の回転軸からずれた位置にて回転面に交差する攪拌棒部４ａ・４ｂが設けられるとともに、該攪拌棒部４ａ・４ｂの先端が丸みを帯びながら上記回転軸側に膨らんでいる構成である。【選択図】  図１
0003102011.tif 000002
【実用新案登録請求の範囲】
【請求項１】
電動機を備えた駆動部と上記電動機によって回転駆動する攪拌部とを有し、該攪拌部には、攪拌部の回転軸からずれた位置にて回転面に交差する攪拌棒部が設けられるとともに、該攪拌棒部の先端が丸みを帯びつつ少なくとも上記回転軸側に膨らんでいることを特徴とする電動納豆攪拌機。
【請求項２】
上記攪拌棒部の側面には、その延伸方向に沿うような複数の凸状畝部あるいは凹状溝部が形成されていることを特徴とする請求項１記載の電動納豆攪拌機。
【請求項３】
上記駆動部は、上記攪拌部を、１分あたり９０〜３００回転させるように構成されていることを特徴とする請求項１記載の電動納豆攪拌機。
【請求項４】
上記駆動部には、上記攪拌部の回転数を調整する制御手段が備えられていることを特徴とする請求項１記載の電動納豆攪拌機。
【請求項５】
上記駆動部には、攪拌部が備えられている側の反対側の端部に、平底状の支持部が設けられていることを特徴とする請求項１記載の電動納豆攪拌機。
【考案の詳細な説明】
【技術分野】
【０００１】
本考案は、例えば、卓上にて納豆等の食品を電動で攪拌する食品攪拌装置に関するものである。
【背景技術】
【０００２】
血液の粘性低下、脳の活性化等の効果を有し、健康食として注目されている納豆は、従来より箸等を用いて手で攪拌するのが一般的である。一方、納豆は４００回程度攪拌することで美味しくなると言われている。しかしながら、手で４００回も納豆を攪拌するには大きな労力を要する。
【０００３】
特許文献１、２には、納豆を効率よく攪拌するための納豆攪拌具が開示されている。これらを図８（ａ）・（ｂ）に示す。
【０００４】
図８（ａ）に示されるように、特許文献１記載の納豆攪拌具１０１は、棒状の握持部１１０と、間隙１１２をおいて並列した２つの軸１１３ａ・ｂからなる撹拌部１１３とを有し、該撹拌部１１３の表面に多数の小突起１１４が形成されている構成である。
【０００５】
上記の納豆攪拌具１０１を使用して納豆を撹拌すると、二軸面（２つの軸１１３ａ・ｂ及び間隙１１２を含む面）で納豆を押し分けると同時に、多数の小突起１１４と２つの軸１１３ａ・ｂ表面との間並びに二軸間（２つの軸１１３ａと１１３ｂとの間）の間隙１１２によって撹拌された納豆内に多量の空気が混入する。この結果、良好な攪拌効果を得ることができる。
【０００６】
また、図８（ｂ）に示されるように、特許文献２記載の納豆攪拌具１２１は、基端部１２３から分岐した各柄杆１２４ａ・ｂの先端部に備えられた掬い部１２５ａ・ｂと、この掬い部１２５ａ・ｂの内側縁部に備えられた掴み部１２６とを有し、上記掬い部１２５と柄杆１２４の一部とにかけて多数の小突起１２７が形成されているとともに、この小突起１２７およびその周囲の凹部にわたりしぼが形成されている構成である。
【０００７】
上記の納豆攪拌具１２１を使用して納豆を撹拌すると、納豆は、上記掬い部１２５と上記柄杆１２４の一部とに設けられた多数の小突起１２７およびしぼから刺激を受け、また、掬い部１２５に巻かれて容器体内を回転することになり、良好な攪拌効果を得ることができる。
【特許文献１】特開２００２−２９１６０２号公報（公開日：２００２年１０月８日）
【特許文献２】特開２００３−３０４９６３号公報（公開日：２００３年１０月２８日）
【考案の開示】
【考案が解決しようとする課題】
【０００８】
しかしながら、上記の納豆攪拌具１０１・１２１はいずれも、その攪拌動作が手によって行われるものであるため、箸等で攪拌する場合に比較して良好な攪拌効果を期待できるものの、依然として大きな労力が要求される。加えて、上記の納豆攪拌具１０１・１２１には小突起（納豆攪拌具１０１における１１４・納豆攪拌具１２１における１２７）が多数形成されているが、この各小突起（１１４・１２７）間の凹部に納豆の糸が粘性体となって溜まり、洗浄がしにくいという問題もある。
【０００９】
また、一般的な電動ハンドミキサーを納豆の攪拌に用いることも考えられる。この一般的なハンドミキサーの攪拌体を図９に示す。
【００１０】
しかしながら、同図に示されるような攪拌体１３０を有するハンドミキサーで納豆の攪拌を行った場合、攪拌体１３０の回転が速すぎて納豆が潰されたり、適正な回転であっても攪拌体１３０に納豆がまとわりついてその内部で塊状となり、良好な攪拌を行うことができないという問題がある。加えて、上記の納豆攪拌具１０１・１２１と同様、一般的なハンドミキサーでは、その攪拌体１３０に糸を引いた納豆の粒が絡みつき、洗浄が困難であるという問題もある。
【００１１】
本考案は、上記課題に鑑みてなされたものであり、その目的は、納豆を簡易迅速かつ良好に攪拌できるとともに、使用後の洗浄が容易な電動納豆攪拌機を提供する点にある。
【課題を解決するための手段】
【００１２】
本考案は、電動機を備えた駆動部と上記電動機によって回転駆動する攪拌部とを有し、該攪拌部には、攪拌部の回転軸からずれた位置にて回転面に交差する攪拌棒部が設けられるとともに、該攪拌棒部の先端が丸みを帯びつつ少なくとも上記回転軸側に膨らんでいることを特徴としている。
【００１３】
まず、上記回転面とは、攪拌部の回転に伴って形成される、攪拌部の回転軸に垂直な平面をいう。
【００１４】
上記電動納豆攪拌機は、納豆の中に挿入した攪拌棒部を、電動機によって回転させるものである。上記攪拌棒部は、攪拌部の回転軸からずれた位置にて回転面に交差するように設けられている。よって、この攪拌棒部が回転すると、該攪拌棒部と納豆との摩擦により、該納豆に所定半径（上記回転軸と攪拌棒部との距離）の円に沿うような回転力が加わる。これにより、該納豆（納豆の塊）が、例えば容器等の中を回転する。
【００１５】
ここで、上記構成によれば、攪拌棒部の先端部は、内側（回転軸側）に膨んでいるため、上記納豆（納豆の塊）は、上記先端部によってかきあげられながら容器内を回転させられることになる。
【００１６】
これにより、豆同士の摩擦回数が増大するとともに、納豆の塊の内部（豆同士の間）に多量の空気が混入し、高い攪拌効果（糸引き効果）を得ることができる。すなわち、多量の糸（主成分はポリペプチド）が発生した、食味的にも健康的にも良好な納豆を作ることができる。なお、上記ポリペプチドには血液の粘性を低下させたり、脳の活性を高める働きがあるといわれ、また、これに含まれるポリグルタミン酸はいわゆるうま味成分の一種である。
【００１７】
また、電動納豆攪拌機のユーザーは、攪拌の間、電動納豆攪拌機を保持しておくだけで済むため、攪拌に多大の労力を要することがない。また、人によっても異なるが、上記攪拌部は人の手による場合より高速で回転するため、攪拌時間を減縮できる。すなわち、納豆の攪拌を簡易かつ迅速に行うことができる。
【００１８】
また、上記攪拌部は、その先端部が膨らんだ攪拌棒部を有するだけの簡易な構造である。よって、使用後の洗浄が極めて容易である。
【００１９】
さらに、上記攪拌棒部の先端部は丸みを帯びているため、攪拌中に該攪拌棒部の先端が容器の底に接触しても、該容器（特に、市販のパック容器）の底を傷つけたり破損したりするおそれも少ないといえる。
【００２０】
また、本考案においては、上記攪拌棒部の側面には、その延伸方向に沿うような複数の凸状畝部あるいは凹状溝部が形成されていることが好ましい。
【００２１】
上記構成によれば、上記攪拌棒部の側面に複数の凹状溝部あるいは凸状畝部が形成されているため、納豆と攪拌棒部との摩擦力が一層高まり、攪拌棒部は空転することなく確実に納豆を容器内で回転させることができる。この結果、電動納豆攪拌機の攪拌効果を一層高めることができる。
【００２２】
また、本考案においては、上記駆動部は、上記攪拌部を、１分あたり９０〜３００回転させるように構成されていることが好ましい。
【００２３】
上記構成によれば、納豆の形状や食味等を損なうことなく、また、攪拌時に納豆を飛び散らせることなく、迅速かつ効率的に納豆の攪拌を行うことができる。
【００２４】
また、本考案においては、上記駆動部に、上記攪拌部の回転数を調整する制御手段が備えられていることが好ましい。
【００２５】
上記構成によれば、上記制御手段により、例えば、納豆の粒の大きさや形状あるいはその量に応じて、上記記攪拌部の回転数を調整することが可能となる。この結果、より簡易かつ迅速（効率的）に納豆を攪拌することができる。
【００２６】
また、本考案においては、上記駆動部における攪拌部が備えられている側の反対側の端部に、平底状の支持部が設けられていることが好ましい。
【００２７】
上記構成によれば、上記電動納豆攪拌機を、上記支持部を下に（テーブル等に接するように）、上記攪拌部を上に向けた状態で自立させる（置いておく）ことが可能となる。これにより、攪拌部に付着した納豆の糸等がテーブル等に付着することを防止できる。
【考案の効果】
【００２８】
以上のように、本考案の電動納豆攪拌機によれば、食味的にも健康的にも良好な納豆を簡易かつ迅速に作ることができる。
【考案を実施するための最良の形態】
【００２９】
本考案の一実施形態を図１〜図６を用いて説明すれば以下のとおりである。ここで、図１は本実施の形態に係る電動納豆攪拌機の正面図であり、図２は図１における攪拌部を説明する斜視図であり、図３は図１における駆動部を説明するブロック図である。
【００３０】
図１に示されるように、電動納豆攪拌機１は、支持部７と、握持部５および連結器６を有する駆動部２と、基端部９および攪拌棒部４（４ａ・４ｂ）を有する攪拌部３とを備えている。
【００３１】
まず、駆動部２および支持部７について説明する。
【００３２】
上記のとおり、駆動部２は握持部５および連結器６を有している。握持部５は、円筒状の外形（ユーザが手にする部分となる円筒状の筐体）を有しており、その一方の底面部に支持部７が備えられ、もう一方の底面部に連結器６が備えられている。
【００３３】
図３に示されるように、握持部５の内部（上記筐体内部）には、電源１１と電源スイッチ１２と電動機１３と切替スイッチ１６と変速機１４（制御手段）とが備えられている。
【００３４】
電源１１は、電動機１３に給電するためのものであり、乾電池１０（例えば、単１の乾電池２本直列に接続したもの）を用いる。この電源１１には、乾電池１０のほか蓄電池等の直流電源を用いても良いし、また、家庭用電源による交流電源を用いても構わない。電源スイッチ１２は、電源１１のＯＮ・ＯＦＦ（攪拌部３の回転駆動のスタート・ストップ）を行うものである。
【００３５】
電動機１３は電源１１からの給電によって回転駆動を発生させるものである。この電動機１３には、例えば、コイルおよび駆動軸に連結する磁性体を備え、コイルが形成する磁界によって磁性体および駆動軸を回転させる一般的なモーター（図示せず）が用いられる。ただし、このようなモーターでなくても、駆動軸に回転駆動を発生させうる電動機であれば本実施の形態に適用可能である。
【００３６】
変速機１４は、複数のギアを備えており、攪拌対象である納豆のサイズに応じて電動機１３の回転駆動を減速（回転数を調整）しつつ、これを連結器６に伝達するものである。変速機１４は、例えば、歯数が最も多いギア大（図示せず）、ギア大より歯数の少ないギア中（図示せず）、ギア中より歯数の少ないギア小（図示せず）の、３種類のギアを備えており、切替スイッチ１６によって、例えば、大粒納豆の場合には高回転数となるようにギア小が選択され、小粒納豆の場合には低回転数となるようにギア中が選択され、挽き割り納豆の場合にはより低回転となるようにギア大が選択されるように構成される。
【００３７】
これにより、納豆のサイズ（大粒・小粒・挽き割り）によって攪拌部３の回転数を変化させることができる。ここで、納豆のサイズに応じた好ましい回転数（１分間あたりの回転数）を表１に示す。なお、攪拌部３の回転数が少なすぎると糸引（粘り）が発生しにくく、また、多すぎると納豆の粒が飛び散ってしまう。
【００３８】
【表１】
0003102011.tif 000003
【００３９】
上記表１に示されるように、いずれのサイズ（形状）の納豆においても、９０〜３００回転であれば、良好に攪拌することができる。
【００４０】
切替スイッチ１６は、上述のように、攪拌対象である納豆のサイズに応じて、変速機１４のギアを適切なものに切り替える（選択する）ものである。なお、この切替スイッチ１６と電源スイッチ１２とを連動させるような構成であっても構わない。
【００４１】
連結器６は、握持部５と攪拌部３とを連結し（図１参照）、変速機１４で制御された回転駆動を攪拌部３に伝達するものである。この連結器６は、例えば、使用後の攪拌部３の洗浄を容易にするため、攪拌部３が握持部５から着脱可能（自在）となるように構成される。なお、この連結器６を設けず、攪拌部３と握持部５とを直接連結する構成（例えば、攪拌部３の回転軸を直接変速機１４のギアにかみ合わせる構成）でも構わない。ただ、このような場合には、攪拌部３の洗浄の際に、握持部５内部に洗浄水等が入り込まないように、握持部５（特に、攪拌部３と変速機１４との連結部分）を防水構造にすることが好ましい。
【００４２】
また、支持部７は、円筒形状の握持部５の口径より大きな口径を有する円盤状（平底状）の外形を有している。すなわち、この支持部７を下にして、電動納豆攪拌機１を卓上等に上向きに立てて置く（自立させる）ことができる。また、なお、この支持部７を、電源１１における乾電池収容部の蓋を兼ねるように構成しても構わない。
【００４３】
次に、攪拌部３について説明する。
【００４４】
図１に示されるように、攪拌部３は基端部９および攪拌棒部４（４ａ・４ｂ）を備え、連結器６にて駆動部２に連結されている。また、図２に示されるように、攪拌部３は、連結器６および基端部９を通る回転軸Ｐの周りを回転させられる。ここで、上記回転によって形成される回転面群のうち、攪拌棒部４ａ・４ｂの先端部を含む回転面を回転面Ｓ、その中心を回転中心Ｘとする。
【００４５】
同図に示されるように、攪拌部３は、基端部９および該基端部９から、回転軸Ｐについて対称にＵ字状に分岐した２本の攪拌棒部４ａ・４ｂを有している。すなわち、攪拌棒部４ａ及び回転軸Ｐ間の距離と、攪拌棒部４ｂ及び回転軸Ｐ間の距離とが略等しい。なお、該攪拌棒部４ａ・４ｂは、回転軸Ｐについて非対称（攪拌棒部４ａ及び回転軸Ｐ間の距離と、攪拌棒部４ｂ及び回転軸Ｐ間の距離とが異なる構成）でも構わない。また、攪拌棒部４ａ・４ｂは円筒形状（棒状）であり、共に回転中心Ｘからずれた位置にて、上記回転面Ｓに交差している。さらに、各攪拌棒部４ａ・４ｂの先端部は、丸みを帯びながら回転軸Ｐ側に膨らんでいる。
【００４６】
さらに、各攪拌棒部４ａ・４ｂの側面には、複数の凹状溝部１７が、攪拌棒部４ａ・４ｂの延伸方向（回転面Ｓに直交する方向）に沿って形成されている。この凹状溝部１７は攪拌棒部４ａ・４ｂの先端部以外の部分だけに形成されていても良いし、また先端部を含め、全側面に形成されていても良い。なお、攪拌棒部４ａ・４ｂの先端部は丸みを帯びながら膨らんでいるため、凹状溝部１７を先端部にも形成する場合には、この部分の凹状溝部１７も、上記先端部の丸みあるいは膨らみに沿って湾曲した形状となる。
【００４７】
なお、上記２本の攪拌棒部４ａ・４ｂ間の距離は、例えば、３．０ｃｍとする。また、各攪拌棒部４ａ・４ｂの先端部の外形は、例えば、納豆１粒の外形と同じ程度とする。また、攪拌棒部４ａ・４ｂの材料は、化学的耐性（錆にくい性質）を考慮して、ステンレスが好ましい。ただし、アルミ等の金属にステンレスメッキを施してもよい。
【００４８】
上記のとおり、本実施の形態では、攪拌部３に、Ｕ字状の２本の円筒状（棒状）攪拌棒部４ａ・４ｂを設けているが、このような構成に限定されない。図４（ａ）（ｂ）は、攪拌部３の他の構成を示す断面図である。
【００４９】
例えば、同図（ａ）（ｂ）に示されるように、攪拌部３に、１本の攪拌棒部４ｃを、回転面Ｓにおける回転中心Ｘからずれた位置にて、該回転面Ｓに交差するように形成しても構わない。
【００５０】
すなわち、攪拌棒部４ｃを、回転軸Ｐに沿って配置された基端部９から、回転面Ｓに平行な向きに延伸させ、その中途から回転軸Ｐに沿う向きに直角に曲げるように構成しても構わない（図４（ａ）参照）。なお、この構成においても、攪拌棒部４ｃの先端は、丸みを帯びながら攪拌部３の回転軸Ｐ側に膨らんでいる。
【００５１】
また、攪拌棒部４ｃを、回転軸Ｐを含むように配置された基端部９から、外側へ（回転軸Ｐ側の反対の側へ、回転軸Ｐから離れるように）湾曲させつつ延伸させ、回転軸中心Ｘからずれた位置にて、該回転面Ｓに交差するように形成しても構わない。（図４（ｂ）参照）。なお、この構成においても、攪拌棒部４ｃの先端は、丸みを帯びながら攪拌部３の回転軸Ｐ側に膨らんでいる。
【００５２】
さらに、図示しないが、攪拌部３を３本の攪拌棒部４で構成することも可能である。この場合、３本の攪拌棒部４それぞれを、攪拌部３の回転面Ｓにおける回転中心Ｘからずれた位置にて、該回転面Ｓに交差するように構成する。この場合、各攪拌棒部４と回転面Ｓとの各交差点の位置が、回転中心Ｘを基準として非対称となる（すなわち、各攪拌棒部４に対応する上記各交差点と回転中心Ｘとの距離が、互いに異なる）ように攪拌棒部４を構成することがより好ましい。
【００５３】
また、図５（ａ）・（ｂ）および図６（ａ）・（ｂ）に、攪拌棒部４の断面図を示す。本実施の形態では攪拌棒部４（４ａ・４ｂ）は円筒状であり、その断面は円形である。また、その側面には上述したように凹状溝部１７が形成されている（図５（ａ）参照）。しかしこれに限定されない。例えば、図６(ａ)のように、攪拌棒部４（４ａ・４ｂ）の側面に凸状畝部１８を形成しても構わない。また、攪拌棒部４（４ａ・４ｂ）を角柱状（箸状）とし（断面は多角形）、その側面に凹状溝部１７（図６（ａ）参照）あるいは凸状畝部１８（図６（ｂ）参照）を形成しても構わない。
【００５４】
次に、上記電動納豆攪拌機１の攪拌作用を説明する。図７は、市販のパック入り納豆を電動納豆攪拌機１にて攪拌する場合の説明図（平面図）である。
【００５５】
ユーザーは、まず、電動納豆攪拌機１の握持部５を握り、攪拌対象となる納豆の大きさに応じて切替スイッチ１６を調整（回転数を調整）する。ついで、容器に収納された納豆の塊の中程（図７の配置位置）にて攪拌棒部４ａ・４ｂを任意の深さまで挿入し、電源スイッチ１２をＯＮにする。これにより、攪拌棒部４ａ・４ｂが納豆の塊の中で回転する（なお、攪拌開始時は低回転数にしてトルクを大きくし、所定時間攪拌した後に高回転数に切り替えてもよい）。このとき、攪拌棒部４ａ・４ｂは、その先端部の膨らみにより、納豆の塊をかきあげ（すくいあげ）ながら容器内を回転させる。ここで、上記攪拌棒部４ａ・４ｂの側面には複数の凹状溝部１７（あるいは凸状畝部１８）が形成されているため、納豆と攪拌棒部４ａ・４ｂ間の摩擦力が高まり、該攪拌棒部４ａ・４ｂは、空転することなく確実に納豆を容器内で回転させる。
【００５６】
これにより、各納豆間の摩擦回数が増大するとともに、納豆の塊の内部に多量の空気が混入し、高い攪拌効果（糸引き効果）を得ることができる。すなわち、多量のポリペプチドを含む、食味的にも健康的にも良好な納豆を作ることができる（ポリペプチドには血液の粘性を低下させたり、脳の活性を高める働きがあるといわれ、また、これに含まれるポリグルタミン酸は所謂うま味の元である）。
【００５７】
また、ユーザーは、納豆の攪拌の間、電動納豆攪拌機１を保持しておくだけで済むため、攪拌に多大を労力を要することもない。また、攪拌部３（攪拌棒部４ａ・４ｂ）は、箸等を用いて人の手で攪拌する場合より高速に回転（攪拌）するため、攪拌時間を大幅に減縮できる。すなわち、納豆の攪拌を簡易かつ迅速に行うことができる。
【００５８】
また、上記電動納豆攪拌機１の攪拌部３は、その先端部が膨らんだ攪拌棒部４ａ・４ｂを有するだけの簡易な構造である。よって、使用後の洗浄が極めて容易である。なお、上記のように、攪拌部３が着脱可能に構成されている場合にはその洗浄が一層容易なものとなる。
【００５９】
さらに、上記攪拌棒部４ａ・４ｂの先端部は丸みを帯びているため、攪拌中に該攪拌棒部４ａ・４ｂの先端が容器の底に接触しても、該容器（特に、市販のパック容器）の底を傷つけたり破損したりすることがない。
【産業上の利用可能性】
【００６０】
本考案は、納豆のような粘性を有する物質を簡易・迅速に攪拌できるため、粘性物質の攪拌装置（家庭用のみならず業務用攪拌装置）に適用することが可能である。
【図面の簡単な説明】
【００６１】
【図１】本考案の実施の形態に係る電動納豆攪拌機の正面図である。
【図２】上記電動納豆攪拌機の攪拌部を説明する斜視図である。
【図３】上記電動納豆攪拌機の駆動部を説明するブロック図である。
【図４】（ａ）（ｂ）は、本考案の実施の形態に係る電動納豆攪拌機の攪拌棒部の全体形状を示す正面図である。
【図５】（ａ）（ｂ）は、本考案の実施の形態に係る電動納豆攪拌機の攪拌棒部の断面形状を示す断面図である。
【図６】（ａ）（ｂ）は、本考案の実施の形態に係る電動納豆攪拌機の攪拌棒部の断面形状を示す断面図である。
【図７】市販のパック入り納豆を上記電動納豆攪拌機にて攪拌する場合を示す説明図である。
【図８】（ａ）は、従来の納豆攪拌具を説明する正面図である。
【００６２】
（ｂ）は、従来の納豆攪拌具を説明する斜視図である。
【図９】従来のハンドミキサーの攪拌体を説明する斜視図である。
【符号の説明】
【００６３】
１  電動納豆攪拌機
２  駆動部
３  攪拌部
４  （４ａ・４ｂ・４ｃ）  攪拌棒部
５  握持部
６  連結器
７  支持部
９  基端部
１３  電動機
１４  変速機（制御手段）
１７  凹状溝部
１８  凸状畝部
【図１】
0003102011.tif 000004
【図２】
0003102011.tif 000005
【図３】
0003102011.tif 000006
【図４】
0003102011.tif 000007
【図５】
0003102011.tif 000008
【図６】
0003102011.tif 000009
【図７】
0003102011.tif 000010
【図８】
0003102011.tif 000011
【図９】
0003102011.tif 000012